(57)【要約】【課題】作業者が収穫駆動軸にアクセスしやすい収穫機を提供する。【解決手段】圃場の作物を収穫する収穫部と、収穫部における下部に設けられ、機体左右方向に延びる収穫駆動軸と、収穫駆動軸を収容する駆動ケース７と、収穫部における左右両端部に設けられ、機体前後方向に延びる左右の分草杆９と、左右の分草杆９の先端部に設けられた左右のデバイダと、を備える収穫機であって、分草杆９は、第１部分９１と第２部分９２とを有し、第１部分９１の先端部はデバイダを支持しており、且つ、第１部分９１の後部は第２部分９２の前部に支持されており、第２部分９２の後部は、駆動ケース７の機体左右方向における端部であるケース端部７ａに支持されており、第２部分９２は、第１部分９１及びケース端部７ａの何れに対しても、連結解除可能な状態で連結されている。【選択図】図６
2018099074.tif 000002
【特許請求の範囲】
【請求項１】
圃場の作物を収穫する収穫部と、
前記収穫部における下部に設けられ、機体左右方向に延びる収穫駆動軸と、
前記収穫駆動軸を収容する駆動ケースと、
前記収穫部における左右両端部に設けられ、機体前後方向に延びる左右の分草杆と、
前記左右の分草杆の先端部に設けられた左右のデバイダと、を備える収穫機であって、
前記分草杆は、第１部分と第２部分とを有し、
前記第１部分の先端部は前記デバイダを支持しており、且つ、前記第１部分の後部は前記第２部分の前部に支持されており、
前記第２部分の後部は、前記駆動ケースの機体左右方向における端部であるケース端部に支持されており、
前記第２部分は、前記第１部分及び前記ケース端部の何れに対しても、連結解除可能な状態で連結されている収穫機。
【請求項２】
側面視において、前記第１部分は、前記駆動ケースと重複しない状態で設けられている請求項１に記載の収穫機。
【請求項３】
前記収穫駆動軸の軸端に取り付けられた動力取り出し機構を備え、
前記駆動ケースは、前記動力取り出し機構を収容する取り出しケース部を有し、
側面視において、前記第１部分は、前記取り出しケース部と重複しない状態で設けられている請求項１または２に記載の収穫機。
【請求項４】
前記取り出しケース部における機体左右方向外側の端面に、ケース開口部が形成されており、
側面視において、前記ケース端部に連結されている状態の前記第２部分は、前記ケース開口部と重複している請求項３に記載の収穫機。
【請求項５】
前記駆動ケースは、機体左右方向に延びるケース本体部を有し、
前記取り出しケース部は、前記ケース本体部の機体左右方向外側に隣接する状態で配置されており、
前記取り出しケース部と前記ケース本体部との間は、連結解除可能な状態で連結されており、
側面視において、前記ケース端部に連結されている状態の前記第２部分は、前記取り出しケース部と重複している請求項３に記載の収穫機。
【請求項６】
前記収穫部は、圃場の作物を刈り取る刈刃を有し、
前記動力取り出し機構は、ベベルギヤを介して前記収穫駆動軸に接続された入力軸を有し、
前記収穫駆動軸の回転駆動力は、前記入力軸を介して前記刈刃へ伝達される請求項３から５の何れか一項に記載の収穫機。
【発明の詳細な説明】
【技術分野】
【０００１】
本発明は、圃場の作物を収穫する収穫部と、収穫部における左右両端部に設けられ、機体前後方向に延びる左右の分草杆と、を備える収穫機に関する。
【背景技術】
【０００２】
上記のような収穫機として、例えば、特許文献１に記載のものが既に知られている。この収穫機は、収穫部（特許文献１では「刈取部」）における下部に設けられ、機体左右方向に延びる収穫駆動軸（特許文献１では「伝動軸」）と、収穫駆動軸を収容する駆動ケース（特許文献１では「横フレーム」）と、を備えている。
【０００３】
この収穫機において、左右の分草杆（特許文献１では「縦フレーム」）は、駆動ケースの機体左右方向外側に隣接する状態で配置されている。そして、左右の分草杆の後端部は、駆動ケースの機体左右方向における端部であるケース端部に、機体左右方向外側からボルトで連結されることにより支持されている。
【０００４】
また、この収穫機における左右の分草杆は、機体左右方向に延びる中間フレームを介して、互いに連結されている。そして、この中間フレームは、機体前後方向に延びる補助縦フレームを介して、引起装置に連結されている。また、左右の分草杆には、固定刃及び可動刃を有する刈取装置が連結されている。
【０００５】
そして、この収穫機では、エンジンの回転駆動力が、収穫駆動軸を介して、引起装置及びフィーダ（特許文献１では「搬送装置」）へ伝達される。
【先行技術文献】
【特許文献】
【０００６】
【特許文献１】特開２０１２−２３１７１２号公報
【発明の概要】
【発明が解決しようとする課題】
【０００７】
上述の収穫機では、収穫駆動軸は、駆動ケースに収容されている。そのため、作業者は、収穫駆動軸や、収穫駆動軸に取り付けられたギヤなどの部材をメンテナンスする際、ケース端部を露出させた上で、その露出したケース端部から、駆動ケース内の収穫駆動軸にアクセスする必要がある。
【０００８】
ここで、上述の収穫機においては、左右の分草杆は、駆動ケースの機体左右方向外側に隣接する状態で配置されている。そして、左右の分草杆の後端部は、ケース端部に、機体左右方向外側からボルトで連結されることにより支持されている。
【０００９】
従って、作業者が、ケース端部を露出させるためには、分草杆と駆動ケースとの間の連結を解除した上で、収穫部から分草杆を取り外す必要がある。
【００１０】
しかしながら、上述の通り、この収穫機において、左右の分草杆は、何れも、引起装置及び刈取装置に連結されている。そのため、収穫部から分草杆を取り外すためには、分草杆と駆動ケースとの間の連結を解除するだけでなく、分草杆と引起装置及び刈取装置との間の連結も解除する必要がある。
【００１１】
従って、この収穫機においては、作業者が収穫駆動軸にアクセスする際、ケース端部を露出させる作業に、比較的多くの工数が必要となる。
【００１２】
本発明の目的は、作業者が収穫駆動軸にアクセスしやすい収穫機を提供することである。
【課題を解決するための手段】
【００１３】
本発明の特徴は、
圃場の作物を収穫する収穫部と、
前記収穫部における下部に設けられ、機体左右方向に延びる収穫駆動軸と、
前記収穫駆動軸を収容する駆動ケースと、
前記収穫部における左右両端部に設けられ、機体前後方向に延びる左右の分草杆と、
前記左右の分草杆の先端部に設けられた左右のデバイダと、を備える収穫機であって、
前記分草杆は、第１部分と第２部分とを有し、
前記第１部分の先端部は前記デバイダを支持しており、且つ、前記第１部分の後部は前記第２部分の前部に支持されており、
前記第２部分の後部は、前記駆動ケースの機体左右方向における端部であるケース端部に支持されており、
前記第２部分は、前記第１部分及び前記ケース端部の何れに対しても、連結解除可能な状態で連結されていることにある。
【００１４】
本発明であれば、分草杆の第１部分が引起装置や刈取装置などの各種部材に連結されている場合であっても、分草杆の第１部分と第２部分とのうち、第２部分のみを収穫部から取り外すことが可能となる。即ち、分草杆のうち、ケース端部に支持されている部分のみを、収穫部から容易に取り外すことができる。
【００１５】
従って、作業者がケース端部を露出させることが容易となる。これにより、作業者は、収穫駆動軸にアクセスしやすくなる。
【００１６】
さらに、本発明において、
側面視において、前記第１部分は、前記駆動ケースと重複しない状態で設けられていると好適である。
【００１７】
この構成によれば、分草杆の第１部分と第２部分とのうち、第２部分のみが、側面視において駆動ケースと重複することとなる。従って、作業者は、第２部分を収穫部から取り外すだけで、ケース端部を容易に露出させることができる。これにより、作業者は、収穫駆動軸にアクセスしやすくなる。
【００１８】
さらに、本発明において、
前記収穫駆動軸の軸端に取り付けられた動力取り出し機構を備え、
前記駆動ケースは、前記動力取り出し機構を収容する取り出しケース部を有し、
側面視において、前記第１部分は、前記取り出しケース部と重複しない状態で設けられていると好適である。
【００１９】
この構成によれば、分草杆の第１部分と第２部分とのうち、第２部分のみが、側面視において取り出しケース部と重複することとなる。従って、作業者は、第２部分を収穫部から取り外すだけで、取り出しケース部を容易に露出させることができる。これにより、作業者は、収穫駆動軸及び動力取り出し機構にアクセスしやすくなる。
【００２０】
さらに、本発明において、
前記取り出しケース部における機体左右方向外側の端面に、ケース開口部が形成されており、
側面視において、前記ケース端部に連結されている状態の前記第２部分は、前記ケース開口部と重複していると好適である。
【００２１】
この構成によれば、作業者は、第２部分を収穫部から取り外すだけで、ケース開口部にアクセスすることができる。これにより、作業者は、収穫駆動軸及び動力取り出し機構にアクセスしやすくなる。
【００２２】
さらに、本発明において、
前記駆動ケースは、機体左右方向に延びるケース本体部を有し、
前記取り出しケース部は、前記ケース本体部の機体左右方向外側に隣接する状態で配置されており、
前記取り出しケース部と前記ケース本体部との間は、連結解除可能な状態で連結されており、
側面視において、前記ケース端部に連結されている状態の前記第２部分は、前記取り出しケース部と重複していると好適である。
【００２３】
この構成によれば、作業者は、第２部分を収穫部から取り外すだけで、取り出しケース部にアクセスすることができる。そして、作業者は、取り出しケース部にアクセスすれば、取り出しケース部を駆動ケースから取り外すことができる。
【００２４】
即ち、この構成によれば、作業者は、取り出しケース部を駆動ケースから容易に取り外すことができる。
【００２５】
さらに、本発明において、
前記収穫部は、圃場の作物を刈り取る刈刃を有し、
前記動力取り出し機構は、ベベルギヤを介して前記収穫駆動軸に接続された入力軸を有し、
前記収穫駆動軸の回転駆動力は、前記入力軸を介して前記刈刃へ伝達されると好適である。
【００２６】
ベベルギヤは、交換の必要となる頻度が比較的高い部材である。そのため、作業者がベベルギヤにアクセスしにくい構成であると、ベベルギヤの交換のために多くの工数が必要となってしまう。
【００２７】
ここで、上記の構成によれば、作業者は、ベベルギヤにアクセスしやすい。従って、上記の構成によれば、作業者は、ベベルギヤを容易に交換することができる。
【図面の簡単な説明】
【００２８】
【図１】コンバインの平面図である。
【図２】収穫部の斜視図である。
【図３】収穫部の平面図である。
【図４】収穫部の右側面図である。
【図５】駆動ケースの縦断正面図である。
【図６】機体左側の外側分草杆と駆動ケースとの連結構造を示す分解斜視図である。
【図７】機体右側の外側分草杆と駆動ケースとの連結構造を示す分解斜視図である。
【図８】収穫部の右側面の拡大図である。
【図９】収穫部の左側面図である。
【図１０】収穫部の前部の構造を示す底面図である。
【図１１】刈刃の取り付け構造を示す縦断側面図である。
【図１２】刈刃の取り付け構造を示す横断平面図である。
【図１３】刈刃の取り付け構造を示す斜視図である。
【発明を実施するための形態】
【００２９】
本発明を実施するための形態について、図面に基づき説明する。尚、以下の説明においては、図１、図３、図４、図８から図１１に示す矢印Ｆの方向を「前」、矢印Ｂの方向を「後」として、図１、図３、図５、図１０に示す矢印Ｌの方向を「左」、矢印Ｒの方向を「右」とする。また、図４、図５、図８、図９、図１１に示す矢印Ｕの方向を「上」、矢印Ｄの方向を「下」とする。
【００３０】
〔コンバインの全体構成〕
図１に示すように、自脱型のコンバイン１（本発明に係る「収穫機」に相当）の機体前部には、収穫部２が設けられている。収穫部２は、圃場の穀物（本発明に係る「作物」に相当）を収穫する。
【００３１】
このように、コンバイン１は、圃場の作物を収穫する収穫部２を備えている。
【００３２】
収穫部２の後方には、搬送装置Ｈが設けられている。また、コンバイン１における前部右側には、運転部３が設けられている。運転部３の下方側には、コンバイン１の動力源としてのエンジン（図示せず）が備えられている。また、運転部３は、運転座席３ａを有している。
【００３３】
また、収穫部２は、圃場に植立する穀稈（本発明に係る「作物」に相当）を引き起こす引起装置３０を有している。
【００３４】
図１に示すように、コンバイン１における後部左側には、脱穀装置４が設けられている。また、コンバイン１における後部右側には、穀粒タンク５が設けられている。
【００３５】
収穫部２で収穫された穀物は、搬送装置Ｈによって脱穀装置４に搬送される。脱穀装置４において、穀物は脱穀処理される。脱穀処理により得られた穀粒は、穀粒タンク５に貯留される。穀粒タンク５に貯留された穀粒は、必要に応じて、穀粒排出装置６によって機外に排出される。
【００３６】
また、コンバイン１は、機体下部に位置するクローラ式走行装置（図示せず）によって自走可能である。
【００３７】
〔収穫部の構成〕
図２から図４に示すように、収穫部２における下部には、駆動ケース７が設けられている。駆動ケース７は、機体左右方向に延びている。
【００３８】
図５に示すように、駆動ケース７の内部には、収穫駆動軸８が配置されている。即ち、駆動ケース７は、収穫駆動軸８を収容している。また、収穫駆動軸８は、収穫部２における下部に設けられている。そして、収穫駆動軸８は、機体左右方向に延びている。
【００３９】
このように、コンバイン１は、収穫部２における下部に設けられ、機体左右方向に延びる収穫駆動軸８を備えている。また、コンバイン１は、収穫駆動軸８を収容する駆動ケース７を備えている。
【００４０】
また、図２から図４に示すように、収穫部２における左右両端部には、左右の外側分草杆９（本発明に係る「分草杆」に相当）が設けられている。左右の外側分草杆９は、機体前後方向に延びている。
【００４１】
このように、コンバイン１は、収穫部２における左右両端部に設けられ、機体前後方向に延びる左右の外側分草杆９を備えている。
【００４２】
左右の外側分草杆９の間には、５つの内側分草杆１０が設けられている。内側分草杆１０は、それぞれ、機体前後方向に延びている。そして、５つの内側分草杆１０は、機体左右方向に間隔を空けて並んでいる。
【００４３】
左右の外側分草杆９の先端部には、左右の外側デバイダ１１（本発明に係る「デバイダ」に相当）が設けられている。また、５つの内側分草杆１０の先端部には、それぞれ、内側デバイダ１２が設けられている。
【００４４】
このように、コンバイン１は、左右の外側分草杆９の先端部に設けられた左右の外側デバイダ１１を備えている。
【００４５】
また、図２から図４に示すように、外側分草杆９は、第１部分９１と第２部分９２とを有している。外側デバイダ１１は、第１部分９１の先端部に支持されている。そして、第１部分９１の後部は、第２部分９２の前部に支持されている。
【００４６】
このように、第１部分９１の先端部は外側デバイダ１１を支持しており、且つ、第１部分９１の後部は第２部分９２の前部に支持されている。
【００４７】
また、第２部分９２の後部は、ケース端部７ａに支持されている。ケース端部７ａは、駆動ケース７の機体左右方向における端部である。
【００４８】
このように、第２部分９２の後部は、駆動ケース７の機体左右方向における端部であるケース端部７ａに支持されている。
【００４９】
図６及び図７に示すように、第１部分９１と第２部分９２とは、ボルトｂ１によって互いに連結されている。作業者は、ボルトｂ１を緩めて取り外すことによって、第１部分９１と第２部分９２との間の連結を解除することができる。
【００５０】
また、図５から図７に示すように、第２部分９２は、ケース端部７ａに対して、ボルトｂ２によって連結されている。作業者は、ボルトｂ２を緩めて取り外すことによって、第２部分９２とケース端部７ａとの間の連結を解除することができる。
【００５１】
このように、第２部分９２は、第１部分９１及びケース端部７ａの何れに対しても、連結解除可能な状態で連結されている。
【００５２】
また、図２から図４に示すように、収穫部２における下部には、中間フレーム２１が設けられている。中間フレーム２１は、機体左右方向に延びる角パイプ状の部材である。中間フレーム２１の両端は、それぞれ、左右の外側分草杆９の第１部分９１に連結されている。
【００５３】
内側分草杆１０の後端部は、中間フレーム２１の上面に固定されている。また、図２に示すように、５つの内側分草杆１０のうち、右から２つ目及び４つ目の内側分草杆１０は、刈取フレーム２２に連結されている。そして、刈取フレーム２２は、引起装置３０（図１及び図４参照）を支持している。
【００５４】
図２から図４に示すように、収穫部２は、刈刃２３を有している。刈刃２３は、中間フレーム２１の前部に取り付けられている。また、刈刃２３は、固定刃２３ａ（図１０参照）及び可動刃２３ｂを有しており、圃場の穀稈を刈り取るように構成されている。
【００５５】
このように、収穫部２は、圃場の作物を刈り取る刈刃２３を有している。
【００５６】
また、この構成により、左右の外側分草杆９の第１部分９１は、中間フレーム２１、内側分草杆１０、刈取フレーム２２を介して、引起装置３０に連結されている。さらに、左右の外側分草杆９の第１部分９１は、中間フレーム２１を介して、刈刃２３に連結されている。
【００５７】
図５に示すように、収穫駆動軸８の左右の軸端には、それぞれ、動力取り出し機構１３が取り付けられている。また、駆動ケース７は、第１取り出しケース部７１（本発明に係る「取り出しケース部」に相当）及び第２取り出しケース部７２（本発明に係る「取り出しケース部」に相当）を有している。
【００５８】
機体左側に位置する動力取り出し機構１３は、第１取り出しケース部７１に収容されている。また、機体右側に位置する動力取り出し機構１３は、第２取り出しケース部７２に収容されている。
【００５９】
このように、コンバイン１は、収穫駆動軸８の軸端に取り付けられた動力取り出し機構１３を備えている。また、駆動ケース７は、動力取り出し機構１３を収容する第１取り出しケース部７１及び第２取り出しケース部７２を有している。
【００６０】
図５に示すように、左右の動力取り出し機構１３は、それぞれ、入力軸１４、第１ベベルギヤ１５（本発明に係る「ベベルギヤ」に相当）、第２ベベルギヤ１６（本発明に係る「ベベルギヤ」に相当）を有している。
【００６１】
左右の入力軸１４は、収穫駆動軸８と直交する方向に延びている。左右の第１ベベルギヤ１５は、それぞれ、収穫駆動軸８の左右の軸端に取り付けられている。また、第２ベベルギヤ１６は、入力軸１４の下端に取り付けられている。そして、第１ベベルギヤ１５と第２ベベルギヤ１６とは、互いに係合している。
【００６２】
即ち、入力軸１４は、第１ベベルギヤ１５及び第２ベベルギヤ１６を介して、収穫駆動軸８に接続されている。
【００６３】
このように、動力取り出し機構１３は、第１ベベルギヤ１５及び第２ベベルギヤ１６を介して収穫駆動軸８に接続された入力軸１４を有している。
【００６４】
また、図５に示すように、収穫部２は、第１伝動軸１７を有している。第１伝動軸１７は、収穫駆動軸８と直交する方向に延びている。また、第１伝動軸１７は、第１伝動軸ケース１７Ｃに収容されている。
【００６５】
第１伝動軸１７の下端には、第３ベベルギヤ１８が取り付けられている。第１伝動軸１７の上端側には、エンジンからの回転駆動力が伝達される。また、収穫駆動軸８の中間部には、第４ベベルギヤ１９が取り付けられている。そして、第３ベベルギヤ１８と第４ベベルギヤ１９とは、互いに係合している。
【００６６】
この構成により、収穫駆動軸８は、第３ベベルギヤ１８及び第４ベベルギヤ１９を介して、第１伝動軸１７に接続されている。そして、エンジンからの回転駆動力が、第１伝動軸１７、第３ベベルギヤ１８、第４ベベルギヤ１９を介して、収穫駆動軸８へ伝達される。
【００６７】
図４に示すように、入力軸１４の上端側は、刈刃駆動機構２４に接続している。また、図３に示すように、刈刃駆動機構２４は、刈刃２３の可動刃２３ｂに接続している。
【００６８】
この構成により、収穫駆動軸８の回転駆動力は、第１ベベルギヤ１５及び第２ベベルギヤ１６を介して、入力軸１４へ伝達される。そして、入力軸１４の回転駆動力は、刈刃駆動機構２４を介して、刈刃２３の可動刃２３ｂへ伝達される。
【００６９】
このように、収穫駆動軸８の回転駆動力は、入力軸１４を介して刈刃２３へ伝達される。
【００７０】
以上の構成によれば、コンバイン１の走行に伴い、圃場の穀稈は、外側デバイダ１１及び内側デバイダ１２によって分草される。そして、分草された穀稈は、刈刃２３によって刈り取られる。
【００７１】
また、図５に示すように、収穫部２は、第２伝動軸２７を有している。第２伝動軸２７は、収穫駆動軸８と直交する方向に延びている。また、第２伝動軸２７は、第２伝動軸ケース２７Ｃに収容されている。
【００７２】
第２伝動軸２７の下端には、第５ベベルギヤ２８が取り付けられている。第２伝動軸２７の上端側は、搬送装置Ｈ及び引起装置３０に接続している。また、収穫駆動軸８の左端部には、第６ベベルギヤ２９が取り付けられている。第６ベベルギヤ２９は、第１ベベルギヤ１５の右側に隣接する状態で配置されている。そして、第５ベベルギヤ２８と第６ベベルギヤ２９とは、互いに係合している。
【００７３】
この構成により、収穫駆動軸８は、第５ベベルギヤ２８及び第６ベベルギヤ２９を介して、第２伝動軸２７に接続されている。そして、収穫駆動軸８の回転駆動力が、第５ベベルギヤ２８及び第６ベベルギヤ２９を介して、第２伝動軸２７へ伝達される。また、第２伝動軸２７の回転駆動力が、搬送装置Ｈ及び引起装置３０へ伝達される。
【００７４】
図４及び図８に示すように、側面視において、機体右側に位置する第１部分９１は、駆動ケース７及び第２取り出しケース部７２と重複しない状態で設けられている。また、図９に示すように、側面視において、機体左側に位置する第１部分９１は、駆動ケース７及び第１取り出しケース部７１と重複しない状態で設けられている。
【００７５】
このように、側面視において、第１部分９１は、駆動ケース７と重複しない状態で設けられている。また、側面視において、第１部分９１は、第１取り出しケース部７１及び第２取り出しケース部７２と重複しない状態で設けられている。
【００７６】
図５、図６、図９に示すように、第１取り出しケース部７１における機体左右方向外側の端面には、第１ケース開口部７１ａ（本発明に係る「ケース開口部」に相当）が形成されており、第１ケース開口部７１ａを覆う第１キャップ７１ｂが取り付けられている。
【００７７】
また、図９において、機体左側に位置する第２部分９２は、ケース端部７ａ（図６参照）に連結されている状態である。この状態の第２部分９２は、側面視において、第１ケース開口部７１ａと重複している。
【００７８】
このように、第１取り出しケース部７１における機体左右方向外側の端面に、第１ケース開口部７１ａが形成されている。また、側面視において、ケース端部７ａに連結されている状態の第２部分９２は、第１ケース開口部７１ａと重複している。
【００７９】
図５に示すように、駆動ケース７は、機体左右方向に延びるケース本体部７３を有している。そして、ケース本体部７３は、第１本体部７３ａ、第２本体部７３ｂ、第３本体部７３ｃを有している。第１本体部７３ａ、第２本体部７３ｂ、第３本体部７３ｃは、それぞれ、機体左右方向に延びている。
【００８０】
第１本体部７３ａの右端と第２本体部７３ｂの左端とは、ボルトｂ３によって互いに連結されている。また、第２本体部７３ｂの右端と第３本体部７３ｃの左端とは、ボルトｂ４によって互いに連結されている。そして、第１本体部７３ａの左端部と、第１取り出しケース部７１と、は一体形成されている。
【００８１】
また、第２取り出しケース部７２は、ケース本体部７３の機体左右方向外側に隣接する状態で配置されている。より具体的には、第２取り出しケース部７２は、第３本体部７３ｃの右側に隣接する状態で配置されている。そして、第３本体部７３ｃの右端と第２取り出しケース部７２の左端とは、ボルトｂ５によって互いに連結されている。作業者は、ボルトｂ５を緩めて取り外すことによって、第３本体部７３ｃと第２取り出しケース部７２との間の連結を解除することができる。
【００８２】
このように、第２取り出しケース部７２とケース本体部７３との間は、連結解除可能な状態で連結されている。
【００８３】
また、図８において、機体右側に位置する第２部分９２は、ケース端部７ａ（図７参照）に連結されている状態である。この状態の第２部分９２は、側面視において、第２取り出しケース部７２と重複している。
【００８４】
このように、側面視において、ケース端部７ａに連結されている状態の第２部分９２は、第２取り出しケース部７２と重複している。
【００８５】
以上で説明した構成によれば、外側分草杆９の第１部分９１は引起装置３０や刈刃２３などの各種部材に連結されているものの、第１部分９１と第２部分９２とのうち、第２部分９２のみを収穫部２から取り外すことが可能となる。即ち、外側分草杆９のうち、ケース端部７ａに支持されている部分のみを、収穫部２から容易に取り外すことができる。
【００８６】
従って、作業者がケース端部７ａを露出させることが容易となる。これにより、作業者は、収穫駆動軸８にアクセスしやすくなる。
【００８７】
〔ベベルギヤの取り外し方法〕
以下では、第１ベベルギヤ１５及び第２ベベルギヤ１６の取り外し方法について説明する。
【００８８】
図５に示すように、機体左側に位置する入力軸１４の下端は、ベアリング４０を介して、第１取り出しケース部７１の内壁に支持されている。また、第１取り出しケース部７１の内壁には、ベアリング４０の抜け止めのためのサークリップ４１が取り付けられている。
【００８９】
また、第１取り出しケース部７１において、入力軸１４の下端及びベアリング４０と対向する部分には、第２ケース開口部７１ｃが形成されており、第２ケース開口部７１ｃを覆う第２キャップ７１ｄが取り付けられている。
【００９０】
そして、作業者が、機体左側に位置する第１ベベルギヤ１５及び第２ベベルギヤ１６を取り外す場合、まず、ボルトｂ２を緩めて取り外すことによって、第２部分９２とケース端部７ａとの間の連結を解除する。また、ボルトｂ１（図６参照）を緩めて取り外すことによって、第２部分９２と第１部分９１との間の連結を解除する。次に、第２部分９２をケース端部７ａから取り外した後、第１キャップ７１ｂ及び第２キャップ７１ｄを取り外す。
【００９１】
そして、サークリップ４１を取り外した後、入力軸１４を、第２ケース開口部７１ｃの側からハンマー等で叩く。すると、ベアリング４０及び第２ベベルギヤ１６から入力軸１４が抜ける。そして、ベアリング４０及び第２ベベルギヤ１６を取り外す。最後に、収穫駆動軸８から、第１ベベルギヤ１５を抜き取る。
【００９２】
以上で説明した構成によれば、このようにして、機体左側に位置する第１ベベルギヤ１５及び第２ベベルギヤ１６を容易に取り外すことができる。
【００９３】
尚、以上で説明した構成によれば、機体右側に位置する第１ベベルギヤ１５及び第２ベベルギヤ１６についても同様に、容易に取り外すことができる。
【００９４】
〔刈刃の取り付け構造〕
以下では、刈刃２３の取り付け構造について説明する。
【００９５】
図１０に示すように、外側分草杆９の下部には、外側分草プレート９ａが設けられている。また、内側分草杆１０の下部には、内側分草プレート１０ａが設けられている。
【００９６】
図４に示すように、外側分草プレート９ａは、下方に突出する板状の部材である。また、図１１及び図１３に示すように、内側分草プレート１０ａも、下方に突出する板状の部材である。
【００９７】
図１１に示すように、刈刃２３は、ヒンジ部３１を介して、中間フレーム２１に支持されている。この構成により、刈刃２３は、機体左右方向に沿う軸芯Ｐ１周りに上下揺動可能である。
【００９８】
また、刈刃２３には、固定アーム３２が連結されている。固定アーム３２は、刈刃２３から上方に延び、前方に屈曲した形状を有している。また、固定アーム３２は、５つの内側分草杆１０のうち、右から２つ目及び４つ目の内側分草杆１０の位置に対応する位置に、１つずつ設けられている。即ち、刈刃２３には、２つの固定アーム３２が連結されている。
【００９９】
図１１から図１３に示すように、内側分草杆１０と固定アーム３２との間の位置には、支持プレート３３が設けられている。図１２に示すように、支持プレート３３は、内側分草杆１０の外周面に、溶接によって固定されている。
【０１００】
図１２に示すように、内側分草杆１０には、分草杆開口部１０ｂが形成されている。また、支持プレート３３には、ナットｎ１が溶接によって固定されている。そして、ナットｎ１が分草杆開口部１０ｂに入り込むように、支持プレート３３が配置されている。
【０１０１】
支持プレート３３には、ナットｎ１に対応する位置に、ボルト孔３３ａが形成されている。また、図１１から図１３に示すように、固定アーム３２の前端部には、長孔３２ａが形成されている。
【０１０２】
そして、固定アーム３２と支持プレート３３とは、ボルトｂ６及びナットｎ１によって互いに連結されている。図１２に示すように、ボルトｂ６は、長孔３２ａ及びボルト孔３３ａを通して、ナットｎ１に締結されている。
【０１０３】
即ち、刈刃２３は、固定アーム３２及び支持プレート３３を介して、内側分草杆１０に固定されている。そして、これにより、刈刃２３の姿勢が固定される。
【０１０４】
尚、図１１から図１３に示すように、中間フレーム２１の上面には、分草杆支持部材３４が連結されている。図１２に示すように、分草杆支持部材３４は、内側分草杆１０の後端部を左右から挟持している。そして、内側分草杆１０の後端部は、分草杆支持部材３４に、溶接によって固定されている。
【０１０５】
即ち、内側分草杆１０の後端部は、分草杆支持部材３４を介して、中間フレーム２１の上面に固定されている。
【０１０６】
〔その他の実施形態〕
（１）内側分草杆１０の個数は、５つに限定されない。内側分草杆１０の個数は、４つ以下でも良いし、６つ以上でも良い。また、内側分草杆１０は、設けられていなくても良い。
【０１０７】
（２）固定アーム３２の個数は、２つに限定されない。固定アーム３２の個数は、１つでも良いし、３つ以上でも良い。また、刈刃２３が上下揺動できない状態で設けられている場合、固定アーム３２は、設けられていなくても良い。
【０１０８】
（３）ケース本体部７３は、単一の部材から構成されていても良い。
【０１０９】
（４）ケース本体部７３と第１取り出しケース部７１とは、それぞれ別体として形成されていても良い。
【０１１０】
（５）ケース本体部７３と第２取り出しケース部７２とは、一体形成されていても良い。
【０１１１】
（６）第１キャップ７１ｂは設けられていなくても良い。また、第２キャップ７１ｄは設けられていなくても良い。
【０１１２】
（７）第１ケース開口部７１ａは設けられていなくても良い。また、第２ケース開口部７１ｃは設けられていなくても良い。
【産業上の利用可能性】
【０１１３】
本発明は、自脱型コンバインの他、普通型コンバイン、トウモロコシ収穫機等にも利用可能である。
【符号の説明】
【０１１４】
１      コンバイン（収穫機）
２      収穫部
７      駆動ケース
７ａ    ケース端部
８      収穫駆動軸
９      外側分草杆（分草杆）
１１    外側デバイダ（デバイダ）
１３    動力取り出し機構
１４    入力軸
１５    第１ベベルギヤ（ベベルギヤ）
１６    第２ベベルギヤ（ベベルギヤ）
２３    刈刃
７１    第１取り出しケース部（取り出しケース部）
７１ａ  第１ケース開口部（ケース開口部）
７２    第２取り出しケース部（取り出しケース部）
７３    ケース本体部
９１    第１部分
９２    第２部分
【図１】
2018099074.tif 000003
【図２】
2018099074.tif 000004
【図３】
2018099074.tif 000005
【図４】
2018099074.tif 000006
【図５】
2018099074.tif 000007
【図６】
2018099074.tif 000008
【図７】
2018099074.tif 000009
【図８】
2018099074.tif 000010
【図９】
2018099074.tif 000011
【図１０】
2018099074.tif 000012
【図１１】
2018099074.tif 000013
【図１２】
2018099074.tif 000014
【図１３】
2018099074.tif 000015